(57)【要約】【課題】検知したフォルトに関する対応履歴の記録漏れを低減する。【解決手段】対応履歴入力督促部２３が、前記フォルト判定部でフォルトが検知された時点で、対応履歴入力画面を表示することにより、当該フォルトへの対応内容を示す対応履歴の入力を督促し、対応履歴記録部２４が、対応履歴入力画面で入力された対応履歴を対応履歴ＤＢ１５へ記録する。【選択図】  図１
2014041401.tif 000002
【特許請求の範囲】
【請求項１】
施設内の各設備で計測された計測値データに基づいて、前記施設で発生したフォルトを検知するフォルト検知装置であって、
前記設備を管理する設備管理装置から、前記計測値データと前記各設備を制御する際に用いられる制御用データとを取得するデータ取得部と、
前記データ取得部で取得した計測値データに基づいて前記施設におけるフォルト発生有無を判定するフォルト判定部と、
前記フォルト判定部で得られたフォルト発生有無の判定結果をフォルト判定履歴ＤＢへ記録する判定結果記録部と、
前記フォルト判定部でフォルトが検知された時点で、対応履歴入力画面を表示することにより、当該フォルトへの対応内容を示す対応履歴の入力を督促する対応履歴入力督促部と、
前記対応履歴入力画面で入力された対応履歴を対応履歴ＤＢへ記録する対応履歴記録部と
を備えることを特徴とするフォルト検知装置。
【請求項２】
請求項１に記載のフォルト検知装置において、
前記フォルト判定部で検知されたフォルトが一定の監視期間にわたり検知されなくなった場合、当該フォルトが解消されたと判定するフォルト解消判定部をさらに備え、
前記対応履歴入力督促部は、前記フォルト検知時点に代えて、前記フォルト解消判定部で前記フォルトの解消が判定された時点に、当該フォルトへの対応内容を示す対応履歴の入力を督促する対応履歴入力画面を表示する
ことを特徴とするフォルト検知装置。
【請求項３】
請求項１または請求項２に記載のフォルト検知装置において、
前記フォルト判定部でフォルトが検知された時点、または、前記フォルト判定部でフォルトの解消が検知された時点で、当該フォルトに関連する前記計測値データおよび前記制御用データを関連データ履歴ＤＢへ記録する関連データ記録部をさらに備えることを特徴とするフォルト検知装置。
【請求項４】
施設内の各設備で計測された計測値データに基づいて、前記施設で発生したフォルトを検知するフォルト検知装置で用いられる対応履歴記録方法であって、
データ取得部が、前記設備を管理する設備管理装置から、前記計測値データと前記各設備を制御する際に用いられる制御用データとを取得するデータ取得ステップと、
フォルト判定部が、前記データ取得部で取得した計測値データに基づいて前記施設におけるフォルト発生有無を判定するフォルト判定ステップと、
判定結果記録部が、前記フォルト判定部で得られたフォルト発生有無の判定結果をフォルト判定履歴ＤＢへ記録する判定結果記録ステップと、
対応履歴入力督促部が、前記フォルト判定ステップでフォルトが検知された時点で、対応履歴入力画面を表示することにより、当該フォルトへの対応内容を示す対応履歴の入力を督促する対応履歴入力督促ステップと、
対応履歴記録部が、前記対応履歴入力画面で入力された対応履歴を対応履歴ＤＢへ記録する対応履歴記録ステップと
を備えることを特徴とする対応履歴記録方法。
【発明の詳細な説明】
【技術分野】
【０００１】
本発明は、施設管理技術に関し、特に施設から検知したフォルトへの対応を履歴として記録する対応履歴記録技術に関する。
【背景技術】
【０００２】
近年、省エネルギーに対する意識の高まりに応じて、施設における非合理なエネルギー消費状態を回避するため、このような非合理なエネルギー消費状態をフォルトとして検知するフォルト検知装置の導入が進められている（例えば、特許文献１など参照）。
【０００３】
このようなフォルト検知装置では、予め定めた診断パラメータに基づいて、設備に設定されている各管理ポイントからデータを取得し、これらデータを集計して予め定めたフォルト検知ロジックに基づきフォルト発生の有無を判定する。
したがって、施設で発生した運用上で非合理なエネルギー消費状態がフォルトとして検知された場合、設備管理者により、その原因が特定されて、設備改修や設備チューニングなどの対応作業が行われることにより、フォルトが解消される。
【先行技術文献】
【特許文献】
【０００４】
【特許文献１】特許第４８７３９８５号公報
【発明の概要】
【発明が解決しようとする課題】
【０００５】
設備運用において、長期にわたり省エネルギー運用を維持するには、各世代の設備管理者間で運用方針や運用実績を引き継ぐ必要がある。したがって、フォルト検知装置でフォルトが検知された場合、担当の設備管理者によって対応作業が行われるため、設備管理者が代わる際には、先の設備担当者がフォルトへの対応を、新たな設備管理者に引き継ぐ必要がある。
引継が十分でない場合、設備管理者が設備改修や設備チューニングを行ってフォルトを改善しても、新たな設備担当者において、改善のための運用が維持されなくなり、フォルトが再発する場合もある。
【０００６】
例えば、先の設備担当者が、省エネルギーなどの経済性の観点からフォルト改善のために設備チューニングを行ったとしても、新たな設備担当者が室内環境に関して一部居住者からクレームが発生したので、経済性ではなく快適性を得ることを目的として設備チューニングを行う場合がある。これは、フォルト改善の際の対応が、先の設備担当者から新たな設備担当者へ十分に引き継がれていなかったことが原因となっている。
【０００７】
このようなフォルトへの対応を履歴として設備管理者間で引き継ぐ場合、記録台帳を用意して、フォルトへの対応を、担当の設備管理者がその記録台帳に記録しておく方法が考えられる。
しかしながら、このような方法では、設備管理者の作業負担や失念などの要因で、途中で記録されなくなったり、一連の対応作業の一部で記録漏れが発生するなど、十分な記録が行われなくなる傾向があり、記録の徹底を長期にわたって維持するのは難しいという問題点があった。
【０００８】
本発明はこのような課題を解決するためのものであり、検知したフォルトに関する対応履歴の記録漏れを低減できる対応履歴記録技術を提供することを目的としている。
【課題を解決するための手段】
【０００９】
このような目的を達成するために、本発明にかかるフォルト検知装置は、施設内の各設備で計測された計測値データに基づいて、前記施設で発生したフォルトを検知するフォルト検知装置であって、前記設備を管理する設備管理装置から、前記計測値データと前記各設備を制御する際に用いられる制御用データとを取得するデータ取得部と、前記データ取得部で取得した計測値データに基づいて前記施設におけるフォルト発生有無を判定するフォルト判定部と、前記フォルト判定部で得られたフォルト発生有無の判定結果をフォルト判定履歴ＤＢへ記録する判定結果記録部と、前記フォルト判定部でフォルトが検知された時点で、対応履歴入力画面を表示することにより、当該フォルトへの対応内容を示す対応履歴の入力を督促する対応履歴入力督促部と、前記対応履歴入力画面で入力された対応履歴を対応履歴ＤＢへ記録する対応履歴記録部とを備えている。
【００１０】
また、上記フォルト検知装置にかかる一構成例は、前記フォルト判定部で検知されたフォルトが一定の監視期間にわたり検知されなくなった場合、当該フォルトが解消されたと判定するフォルト解消判定部をさらに備え、前記対応履歴入力督促部は、前記フォルト検知時点に代えて、前記フォルト解消判定部で前記フォルトの解消が判定された時点に、当該フォルトへの対応内容を示す対応履歴の入力を督促する対応履歴入力画面を表示するようにしたものである。
【００１１】
また、上記フォルト検知装置にかかる一構成例は、前記フォルト判定部でフォルトが検知された時点、または、前記フォルト判定部でフォルトの解消が検知された時点で、当該フォルトに関連する前記計測値データおよび前記制御用データを関連データ履歴ＤＢへ記録する関連データ記録部をさらに備えている。
【００１２】
また、本発明にかかる対応履歴記録方法は、施設内の各設備で計測された計測値データに基づいて、前記施設で発生したフォルトを検知するフォルト検知装置で用いられる対応履歴記録方法であって、データ取得部が、前記設備を管理する設備管理装置から、前記計測値データと前記各設備を制御する際に用いられる制御用データとを取得するデータ取得ステップと、フォルト判定部が、前記データ取得部で取得した計測値データに基づいて前記施設におけるフォルト発生有無を判定するフォルト判定ステップと、判定結果記録部が、前記フォルト判定部で得られたフォルト発生有無の判定結果をフォルト判定履歴ＤＢへ記録する判定結果記録ステップと、対応履歴入力督促部が、前記フォルト判定ステップでフォルトが検知された時点で、対応履歴入力画面を表示することにより、当該フォルトへの対応内容を示す対応履歴の入力を督促する対応履歴入力督促ステップと、対応履歴記録部が、前記対応履歴入力画面で入力された対応履歴を対応履歴ＤＢへ記録する対応履歴記録ステップとを備えている。
【発明の効果】
【００１３】
本発明によれば、フォルト発生の検知と並行して、対応履歴入力画面が表示されて、対応履歴の入力が設備管理者へ自動的に督促されるため、検知したフォルトに関する対応履歴の記録漏れを低減でき、フォルトに関する十分な記録を蓄積することができ、フォルトに関する十分な記録を得ることができる。このため、フォルト改善の際の対応が、先の設備担当者から新たな設備担当者へ十分に引き継ぐことができる。
【図面の簡単な説明】
【００１４】
【図１】第１の実施の形態にかかるフォルト検知装置の構成を示すブロック図である。
【図２】計測値データの構成例である。
【図３】制御目標値情報の構成例である。
【図４】ポイント属性情報の構成例である。
【図５】第１の実施の形態にかかるフォルト検知処理を示すフローチャートである。
【図６】対応履歴入力画面の表示例である。
【図７】対応履歴ＤＢの構成例である。
【図８】関連データ履歴ＤＢの構成例である。
【図９】第２の実施の形態にかかるフォルト検知装置の構成を示すブック図である。
【図１０】第２の実施の形態にかかるフォルト検知処理を示すフローチャートである。
【図１１】対応履歴入力画面の他の表示例である。
【発明を実施するための形態】
【００１５】
［発明の原理］
まず、本発明の原理について説明する。
施設における非合理なエネルギー消費状態として検出されるフォルトには、独特な特性として、(A1)フォルトは突発的に発生する、(A2)フォルトは施設のうち特定の設備系統に対して発生する、という特性がある。
【００１６】
また、このようなフォルトに独特の特性を踏まえた場合、(B1)フォルトは突発的に発生するため、建物の修繕計画には反映されず、仮に改善内容が記録として残っても計画の記録がないことから、改善の理由が残らない、(B2)フォルトは施設のうち特定の設備系統に対して発生するため、改善対応も限定された設備範囲でのみ実施されることになり、このような範囲の限られた小規模な改善対応については記録の重要性が軽視されて記録されない場合が多く、仮に改善内容だけが記録に残っても、その改善内容から改善理由が導かれるとは限らない、というような、フォルトへの対応の履歴が記録に残りにくい要因が、通常の設備管理作業に内在していることが分かった。
【００１７】
本発明にかかる第１の実施の形態は、このようなフォルトに独特の特性があることと、フォルトへの対応の履歴が記録に残りにくい要因が通常の設備管理作業に内在していることに着目し、対応履歴の記録漏れを低減するため、対応の履歴の記録入力を設備管理者に自動的に督促するとともに、フォルトの内容を設備のポイント情報から取得して自動記録するようにしたものである。
【００１８】
また、フォルトへの対応作業の特徴として、(C)複数の原因候補から真の原因を１つまたは複数特定する作業が必要となるため、試行錯誤を伴う場合が多く、施設や設備によっては、試行錯誤中はフォルトの発生と復帰を繰り返すことになる、という特徴がある。
したがって、発生したフォルトごとに対応履歴を記録するようにした場合、設備管理者に対して煩わしい作業を強要することになる。また、フォルトの内容を自動記録させた場合、多くの履歴データが発生することになる。
【００１９】
本発明にかかる第２の実施の形態は、このようなフォルトへの対応作業の特徴から、フォルト改善対応の際、試行錯誤中に発生するフォルトは、重要度の低いものであって、フォルト改善後の運用を維持し、フォルト再発を低減させるために必要な記録は、フォルトを解消させた時点における改善対応内容であることに着目し、フォルトが解決されるまでに発生したフォルトについては履歴を記録せず、フォルトが解決された時点におけるフォルトへの対応を履歴として記録させるようにしたものである。
【００２０】
［第１の実施の形態］
次に、図１を参照して、本発明の第１の実施の形態にかかるフォルト検知装置１０について説明する。図１は、第１の実施の形態にかかるフォルト検知装置の構成を示すブロック図である。
【００２１】
フォルト検知装置１０は、全体としてサーバ装置やパーソナルコンピュータなどの情報処理装置からなり、通信回線Ｌ１を介したデータ通信により、施設管理装置３０から取得した計測値データ３１に基づいて、施設で発生した非合理な状況、すなわちフォルトを検知する機能を有している。
【００２２】
施設管理装置３０は、全体としてサーバ装置やパーソナルコンピュータなどの情報処理装置からなり、通信回線Ｌ３を介したデータ通信により、設備４０に設定した各管理ポイントで、これら設備４０の状況を示す計測値データ３１を取得するとともに、制御用データ３２に基づきこれら設備４０を制御する機能を有している。
【００２３】
このフォルト検知装置１０には、主な機能部として、通信Ｉ／Ｆ部１１、操作入力部１２、画面表示部１３、記憶部１４、対応履歴ＤＢ１５、関連データ履歴ＤＢ１６、フォルト判定履歴ＤＢ１７、データ取得部２１、フォルト判定部２２、対応履歴入力督促部２３、対応履歴記録部２４、関連データ記録部２５、および判定結果記録部２６が設けられている。
【００２４】
通信Ｉ／Ｆ部１１は、通信回線Ｌ１を介して施設管理装置３０などの外部装置とデータ通信を行う機能を有している。
操作入力部１２は、キーボードやマウスなどの操作入力装置からなり、設備管理者の操作を検出する機能を有している。
画面表示部１３は、ＬＣＤなどの画面表示装置からなり、操作メニューや管理ポイント設定画面など、各機能部から出力されたデータを画面表示する機能を有している。
【００２５】
記憶部１４は、ハードディスクや半導体メモリなどの記憶装置からなり、フォルト検知処理などの各種処理に用いる処理データやプログラムを記憶する機能を有している。
プログラムは、ＣＰＵに読み込まれて実行されることにより、フォルト検知処理などの各種処理を実現するプログラムであり、外部装置や記録媒体から通信Ｉ／Ｆ部１１を介して予め読み込まれ、記憶部１４に格納される。
【００２６】
記憶部１４が記憶する主な処理情報として、施設管理装置３０から取得した計測値データ３１や制御用データ３２のほか、フォルト判定に用いる判定条件などを含むフォルト検知ロジックがある。
図２は、計測値データの構成例である。ここでは、任意の管理ポイントで計測された計測値データとして、計測した日時、計測した管理ポイントのポイントアドレス、当該管理ポイントでの計測値を示す圧力値などのデータが含まれている。
【００２７】
制御用データ３２には、主なデータとして任意の管理ポイントに設定された制御目標値を示す制御目標値情報と、各管理ポイントの属性内容を示すポイント属性情報とがある。
図３は、制御目標値情報の構成例である。ここでは、任意の管理ポイントに設定されている制御値情報として、取得した日時、対象となる管理ポイントのポイントアドレス、目標値を示す圧力設定値などのデータが含まれている。
図４は、ポイント属性情報の構成例である。ここでは、任意の管理ポイントに関する属性情報として、対象となる管理ポイントのポイントアドレス、ポイント名称、当該管理ポイントで計測されるデータの種別および単位が含まれている。
【００２８】
対応履歴ＤＢ１５は、ハードディスクや半導体メモリなどの記憶装置からなり、発生したフォルトごとに、当該フォルトに対して行った改善対応の内容を、当該フォルトの対応履歴として記録するデータベースである。
【００２９】
関連データ履歴ＤＢ１６は、ハードディスクや半導体メモリなどの記憶装置からなり、発生したフォルトごとに、当該フォルトが検知された時点における制御用データを、当該フォルトの関連データの履歴として記録するデータベースである。
【００３０】
フォルト判定履歴ＤＢ１７は、ハードディスクや半導体メモリなどの記憶装置からなり、フォルト判定部２２でのフォルト発生有無の判定ごとに、当該判定の判定結果を判定履歴として記録するデータベースである。
【００３１】
データ取得部２１は、フォルト検知処理を実行する際、通信Ｉ／Ｆ部１１から通信回線Ｌ１を介して施設管理装置３０とデータ通信を行うことにより、施設管理装置３０から、計測値データ３１および制御用データ３２を取得して記憶部１４に保存する機能を有している。
【００３２】
フォルト判定部２２は、記憶部１４の計測値データ３１をフォルト検知ロジックに基づき集計し、得られた集計結果を記憶部１４のフォルト検知ロジックに含まれている判定条件と比較することにより、施設におけるフォルト発生の有無を検知する機能を有している。
【００３３】
対応履歴入力督促部２３は、フォルト判定部でフォルトが検知された時点に、画面表示部１３で対応履歴入力画面を表示することにより、当該フォルトへの対応内容を示す対応履歴の入力を督促する機能を有している。
対応履歴記録部２４は、対応履歴入力督促部２３が表示した対応履歴入力画面において、操作入力部１２から設備管理者により操作入力された対応履歴を対応履歴ＤＢ１５へ記録する機能を有している。
【００３４】
関連データ記録部２５は、フォルト判定部２２でフォルトが検知された時点、または／および、フォルト判定部２２でフォルト解消が検知された時点で、当該フォルトに関連する計測値データ３１および制御用データ３２を関連データ履歴ＤＢ１６へ記録する機能を有している。
判定結果記録部２６は、フォルト判定部２２におけるフォルト発生有無の判定ごとに、当該判定の判定結果をフォルト判定履歴ＤＢ１７へ記録する機能を有している。
【００３５】
これら機能部のうち、データ取得部２１、フォルト判定部２２、対応履歴入力督促部２３、対応履歴記録部２４、関連データ記録部２５、および判定結果記録部２６は、ＣＰＵが記憶部１４からプログラムを読み込んで実行することにより実現される。
【００３６】
［第１の実施の形態の動作］
次に、図５を参照して、本実施の形態にかかるフォルト検知装置１０のフォルト検知処理について説明する。図５は、第１の実施の形態にかかるフォルト検知処理を示すフローチャートである。
【００３７】
フォルト検知装置１０は、操作入力部１２で検出した設備管理者による処理開始操作に応じて、図５のフォルト検知処理を実行する。なお、このフォルト状況表示処理に先だって、記憶部１４には、フォルト検知ロジックなどが既に登録されているものとする。
【００３８】
まず、データ取得部２１は、通信Ｉ／Ｆ部１１から通信回線Ｌ１を介して施設管理装置３０とデータ通信を行うことにより、施設管理装置３０から、計測値データ３１および制御用データ３２を取得して記憶部１４に保存する（ステップ１００）。
【００３９】
次に、フォルト判定部２２は、記憶部１４の計測値データ３１をフォルト検知ロジックに基づき集計し、得られた集計結果をその判定基準と比較することにより、フォルト発生の有無を検知する（ステップ１０１）。計測値データ３１の集計については、例えば各ポンプのポンプ発停データが集計されてポンプ運転台数が得られる。また、ポンプの定格流量とポンプ運転台数とを乗算することにより、定格流量合計が得られる。
続いて、判定結果記録部２６は、フォルト判定部２２におけるフォルト発生有無の判定ごとに、当該判定の判定結果をフォルト判定履歴ＤＢ１７へ記録する（ステップ１０２）。
【００４０】
この後、対応履歴入力督促部２３は、フォルト判定部２２でフォルトが検知された場合（ステップ１０３：ＹＥＳ）、画面表示部１３で対応履歴入力画面を表示することにより、当該フォルトへの対応内容を示す対応履歴の入力を督促する（ステップ１０４）。なお、フォルト判定部２２でフォルトが検知されなかった場合（ステップ１０３：ＮＯ）、一連のフォルト検知処理を終了する。
【００４１】
図６は、対応履歴入力画面の表示例である。この対応履歴入力画面５０には、対応履歴の入力を督促するメッセージ５１、対象となるフォルトに関するフォルト情報５２、および対応履歴を入力するための対応履歴入力欄５３が設けられている。対応履歴入力欄５３には、対応履歴登録日時、対応履歴登録者、改善種別、および改善内容を入力する欄が設けられている。
【００４２】
対応履歴記録部２４は、対応履歴入力督促部２３が表示した対応履歴入力画面において、操作入力部１２から設備管理者により操作入力された対応履歴を対応履歴ＤＢ１５へ記録する（ステップ１０５）。
図７は、対応履歴ＤＢの構成例である。ここでは、対応履歴として、フォルト発生日時、フォルト名称、発生箇所、対応履歴登録日時、対応履歴登録者、改善種別、および改善内容が含まれている。
【００４３】
また、関連データ記録部２５は、フォルト判定部２２でフォルトが検知された時点で、当該フォルトに関連する計測値データ３１および制御用データ３２を関連データ履歴ＤＢ１６へ記録し（ステップ１０６）、一連のフォルト検知処理を終了する。なお、ステップ１０６の実行タイミングについては、ステップ１０５以降に限定されるものではなく、ステップ１０３以降の任意のタイミングで実行すればよい。
【００４４】
図８は、関連データ履歴ＤＢの構成例である。ここでは、関連データ履歴として、フォルト発生日時、フォルト名称、発生箇所、ポイントアドレス、圧力、ポンプ１発停、ポンプ２発停、ポンプ３発停、負荷流量、インバータ出力、圧力設定が含まれている。
【００４５】
［第１の実施の形態の効果］
このように、本実施の形態は、対応履歴入力督促部２３が、フォルト判定部２２でフォルトが検知された時点で、対応履歴入力画面を表示することにより、当該フォルトへの対応内容を示す対応履歴の入力を督促し、対応履歴記録部２４が、対応履歴入力画面で入力された対応履歴を対応履歴ＤＢ１５へ記録するようにしたものである。
【００４６】
これにより、フォルト発生の検知と並行して、対応履歴入力画面が表示されて、対応履歴の入力が設備管理者へ自動的に督促されるため、検知したフォルトに関する対応履歴の記録漏れを低減でき、フォルトに関する十分な記録を蓄積することができる。このため、フォルト改善の際の対応が、先の設備担当者から新たな設備担当者へ十分に引き継ぐことができる。
【００４７】
また、本実施の形態では、フォルト判定部２２でフォルトが検知された時点で、関連データ記録部２５が、当該フォルトに関連する計測値データ３１および制御用データ３２を関連データ履歴ＤＢ１６へ記録するようにしたので、設備管理者が対応履歴入力画面で入力した対応履歴に加えて、当該フォルトに関する設備の状況が関連データ履歴として自動記録することができる。これにより、フォルト発生時の設備状況を詳細に把握することができ、フォルト改善対応に役立てることができる。
【００４８】
［第２の実施の形態］
次に、図９を参照して、本実施の形態にかかるフォルト検知装置１０について説明する。図９は、第２の実施の形態にかかるフォルト検知装置の構成を示すブック図であり、前述した図１と同じまたは同等部分には、同一符号を付してある。
第１の実施の形態では、フォルトが検知された時点で、対応履歴入力画面を表示する場合を例として説明した。本実施の形態では、フォルトが解消された時点で、対応履歴入力画面を表示する場合について説明する。
【００４９】
本実施の形態において、フォルト解消判定部２７は、フォルト判定部２２で検知されたフォルトが一定の監視期間にわたり検知されなくなった場合、当該フォルトが解消されたと判定する機能を有している。
対応履歴入力督促部２３は、フォルト検知時点に代えて、フォルト解消判定部２７でフォルトの解消が判定された時点に、当該フォルトへの対応内容を示す対応履歴の入力を督促する対応履歴入力画面を表示する機能を有している。
その他の構成については、第１の実施の形態と同様であり、ここでの詳細な説明は省略する。
【００５０】
［第２の実施の形態の動作］
次に、図１０を参照して、本実施の形態にかかるフォルト検知装置１０のフォルト検知処理について説明する。図１０は、第２の実施の形態にかかるフォルト検知処理を示すフローチャートであり、前述した図５と同じまたは同等部分には、同一符号を付してある。
【００５１】
フォルト検知装置１０は、操作入力部１２で検出した設備管理者による処理開始操作に応じて、図１０のフォルト検知処理を実行する。なお、このフォルト状況表示処理に先だって、記憶部１４には、フォルト検知ロジックなどが既に登録されているものとする。
【００５２】
まず、データ取得部２１は、通信Ｉ／Ｆ部１１から通信回線Ｌ１を介して施設管理装置３０とデータ通信を行うことにより、施設管理装置３０から、計測値データ３１および制御用データ３２を取得して記憶部１４に保存する（ステップ１００）。
【００５３】
次に、フォルト判定部２２は、記憶部１４の計測値データ３１をフォルト検知ロジックに基づき集計し、得られた集計結果をその判定基準と比較することにより、フォルト発生の有無を検知する（ステップ１０１）。計測値データ３１の集計については、例えば各ポンプのポンプ発停データが集計されてポンプ運転台数が得られる。また、ポンプの定格流量とポンプ運転台数とを乗算することにより、定格流量合計が得られる。
続いて、判定結果記録部２６は、フォルト判定部２２におけるフォルト発生有無の判定ごとに、当該判定の判定結果をフォルト判定履歴ＤＢ１７へ記録する（ステップ１０２）。
【００５４】
この後、フォルト解消判定部２７は、フォルト判定部２２で検知されたフォルトが一定の監視期間にわたり検知されなくなったかどうかに基づいて、当該フォルトが解消されたか否か判定する（ステップ２００）。監視期間については、各設備やフォルトの特徴に応じて、予め設定しておけばよい。また、このフォルト解消判定については、フォルト判定履歴ＤＢ１７Ｉに記録されている対応履歴を利用してもよい。
【００５５】
ここで、対応履歴入力督促部２３は、フォルト解消判定部２７でフォルト解消と判定された場合（ステップ２００：ＹＥＳ）、画面表示部１３で対応履歴入力画面を表示することにより、当該フォルトへの対応内容を示す対応履歴の入力を督促する（ステップ１０４）。なお、一旦検知されたフォルトが継続していてフォルト解消判定部２７でフォルト解消と判定されなかった場合（ステップ２００：ＮＯ）、一連のフォルト検知処理を終了する。
【００５６】
図１１は、対応履歴入力画面の他の表示例である。前述した図６とほぼ同様であるが、メッセージ５１およびフォルト情報５２には、入力対象となるフォルトは、復帰したフォルトであることが明記されている。
対応履歴記録部２４は、対応履歴入力督促部２３が表示した対応履歴入力画面において、操作入力部１２から設備管理者により操作入力された対応履歴を対応履歴ＤＢ１５へ記録する（ステップ１０５）。
【００５７】
また、関連データ記録部２５は、フォルト解消判定部２７でフォルト解消と判定された時点で、当該フォルトに関連する計測値データ３１および制御用データ３２を関連データ履歴ＤＢ１６へ記録し（ステップ１０６）、一連のフォルト検知処理を終了する。なお、ステップ１０６の実行タイミングについては、ステップ１０５以降に限定されるものではなく、ステップ２０１以降の任意のタイミングで実行すればよい。
【００５８】
［第２の実施の形態の効果］
このように、本実施の形態は、フォルト解消判定部２７が、フォルト判定部２２で検知されたフォルトが一定の監視期間にわたり検知されなくなった場合、当該フォルトが解消されたと判定し、対応履歴入力督促部２３が、フォルト解消判定部２７でフォルトの解消が判定された時点に、当該フォルトへの対応内容を示す対応履歴の入力を督促する対応履歴入力画面を表示するようにしたものである。
【００５９】
これにより、フォルトが検知された時点ではなく、フォルトが解消された時点に、対応履歴入力画面が表示されて、対応履歴の入力が自動的に督促されるため、設備管理者は、フォルトが解消してから、フォルトへの対応を履歴として記録するものとなる。したがって、フォルト改善対応の際、試行錯誤中に発生する重要度の低いフォルトについて、履歴の記録を省くことができ、設備管理者への対応履歴入力にかかる作業負担を大幅に軽減することができる。
【００６０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００６１】
１０…フォルト検知装置、１１…通信Ｉ／Ｆ部、１２…操作入力部、１３…画面表示部、１４…記憶部、１５…対応履歴ＤＢ、１６…関連データ履歴ＤＢ、１７…フォルト判定履歴ＤＢ、２１…データ取得部、２２…フォルト判定部、２３…対応履歴入力督促部、２４…対応履歴記録部、２５…関連データ記録部、２６…判定結果記録部、３０…施設管理装置、３１…計測値データ、４０…設備。
【図１】
2014041401.tif 000003
【図２】
2014041401.tif 000004
【図３】
2014041401.tif 000005
【図４】
2014041401.tif 000006
【図５】
2014041401.tif 000007
【図６】
2014041401.tif 000008
【図７】
2014041401.tif 000009
【図８】
2014041401.tif 000010
【図９】
2014041401.tif 000011
【図１０】
2014041401.tif 000012
【図１１】
2014041401.tif 000013